(57)【特許請求の範囲】
【請求項１】
ページング方法であって、
遠隔端末装置が状態情報を確定することと、
前記遠隔端末装置がネットワーク装置へ前記状態情報を送信し、前記状態情報が前記遠隔端末装置をページングするページング方式を確定するために前記ネットワーク装置によって用いられることとを含み、
前記状態情報は前記遠隔端末装置と中継端末装置が加入関係及び／又は接続関係を有するか否かを示すことに用いられ、及び前記遠隔端末装置がネットワークのカバレッジに位置するか否かを示すことに用いられる、前記ページング方法。
【請求項２】
前記遠隔端末装置がネットワーク装置へ前記状態情報を送信することは、
前記遠隔端末装置がエアインタフェースメッセージを介して前記ネットワーク装置へ前記状態情報を送信すること、又は、
前記遠隔端末装置が前記中継端末装置を介して前記ネットワーク装置へ前記状態情報を送信することを含むことを特徴とする
請求項１に記載のページング方法。
【請求項３】
前記遠隔端末装置が状態情報を確定することは、
前記遠隔端末装置が前記遠隔端末装置とネットワーク装置との間のリンク品質情報、及び、前記遠隔端末装置と前記遠隔端末装置との加入関係及び／又は接続関係を有する中継端末装置との間のリンク品質情報に基づいて前記状態情報を確定することを含むことを特徴とする
請求項１又は２に記載のページング方法。
【請求項４】
前記遠隔端末装置がネットワーク装置へ前記状態情報を送信することは、
前記遠隔端末装置が第一のアクセスネットワーク装置へ前記状態情報を送信すること、又は
前記遠隔端末装置が第一のコアネットワーク装置へ前記状態情報を送信すること、又は
前記遠隔端末装置が少なくとも一つの第二のアクセスネットワーク装置へ前記状態情報を送信することを含むことを特徴とする
請求項１−３のいずれか一項に記載のページング方法。
【請求項５】
前記遠隔端末装置がネットワーク装置へ前記状態情報を送信した後、前記ページング方法はさらに、
前記遠隔端末装置が前記状態情報に基づき、前記第一のアクセスネットワーク装置から送信されたページングメッセージを受信することを含むことを特徴とする
請求項４に記載のページング方法。
【請求項６】
前記遠隔端末装置が前記状態情報に基づき、前記第一のアクセスネットワーク装置から送信されたページングメッセージを受信することは、
前記状態情報が、前記遠隔端末装置がネットワークのカバレッジに位置することを示すことに用いられる場合、前記遠隔端末装置がエアインタフェースメッセージを監視し、前記エアインタフェースメッセージを介し、前記第一のアクセスネットワーク装置から送信された前記ページングメッセージを受信することを含むことを特徴とする
請求項５に記載のページング方法。
【請求項７】
前記遠隔端末装置が前記状態情報に基づき、前記第一のアクセスネットワーク装置から送信されたページングメッセージを受信することは、
前記状態情報が前記遠隔端末装置と前記中継端末装置が加入関係及び／又は接続関係を有することを示すことに用いられる場合、前記遠隔端末装置が前記第一のアクセスネットワーク装置から前記中継端末装置を介して送信された前記ページングメッセージを受信することを含むことを特徴とする
請求項５に記載のページング方法。
【請求項８】
前記状態情報が前記遠隔端末装置と前記中継端末装置が加入関係及び／又は接続関係を有することを示すことに用いられる場合、前記遠隔端末装置が前記第一のアクセスネットワーク装置から前記中継端末装置を介して送信された前記ページングメッセージを受信することは、
前記状態情報が前記遠隔端末装置と前記中継端末装置が加入関係及び／又は接続関係を有することを示すことに用いられ、そして前記遠隔端末装置がネットワークのカバレッジに位置する場合、前記遠隔端末装置が前記第一のアクセスネットワーク装置から前記中継端末装置を介して送信された前記ページングメッセージを受信することを含むことを特徴とする
請求項７に記載のページング方法。
【請求項９】
ページング装置であって、
遠隔端末装置の状態情報を受信するように構成される送受信モジュールと、
前記状態情報に基づき、前記遠隔端末装置をページングするページング方式を確定するように構成される確定モジュールとを備え、
前記送受信モジュールはさらに前記ページング方式に応じて前記遠隔端末装置をページングするように構成される、
前記状態情報は前記遠隔端末装置と中継端末装置が加入関係及び／又は接続関係を有するか否かを示すことに用いられ、及び前記遠隔端末装置がネットワークのカバレッジに位置するか否かを示すことに用いられる、前記ページング装置。
【請求項１０】
前記ページング方式はエアインタフェースメッセージを介してページングすること又は前記遠隔端末装置と加入関係及び／又は接続関係を有する中継端末装置を介してページングすることを含むことを特徴とする
請求項９に記載のページング装置。
【請求項１１】
前記確定モジュールは具体的に、
前記状態情報が、前記遠隔端末装置がネットワークのカバレッジに位置することを示すことに用いられる場合、前記遠隔端末装置のページング方式としてエアインタフェースメッセージを介してページングすることを確定するように構成されることを特徴とする
請求項９又は１０に記載のページング装置。
【請求項１２】
ページング装置であって、
請求項１−８のいずれか一項に記載のページング方法を実行するように構成される、前記ページング装置。
【発明の詳細な説明】
【技術分野】
【０００１】
本出願は２０１７年３月２３日に中国特許庁に提出された、出願番号がＰＣＴ／ＣＮ２０１７／０７７９３９であり、発明の名称が「ページング方法及びページング装置」であるＰＣＴ特許出願に対する優先権を主張し、その全ての内容が参照により本明細書に組み込まれる。
【０００２】
本出願の実施例は通信分野に関し、特に通信分野におけるページング方法及びページング装置に関する。
【背景技術】
【０００３】
セルラー通信システムでは、ネットワーク装置はエアインタフェースメッセージを介して端末装置へページングメッセージを送信することができ、端末装置はネットワーク装置のページングメッセージを受信するが、セルラー通信及び装置間（Ｄ２Ｄ：Ｄｅｖｉｃｅ−ｔｏ−Ｄｅｖｉｃｅ）通信が混在するシーンでは、ネットワーク装置がどのように端末装置を正確にページングするかは解決すべき緊急の問題である。
【発明の概要】
【発明が解決しようとする課題】
【０００４】
本出願の実施例によるページング方法及びページング装置は、ネットワーク装置が遠隔端末装置を正確にページングすることを保証することができる。
【課題を解決するための手段】
【０００５】
第一の態様によるページング方法は、ネットワーク装置が遠隔端末装置の状態情報を受信することと、前記ネットワーク装置が前記状態情報に基づき、前記遠隔端末装置をページングするページング方式を確定することと、前記ネットワーク装置が前記ページング方式に応じて前記遠隔端末装置をページングすることとを含む。
【０００６】
したがって、本出願の実施例では、ネットワーク装置は遠隔端末装置の状態情報に基づき、遠隔端末装置をページングするページング方式を確定し、これにより、ネットワーク装置のブラインドページングによって引き起こされるページング失敗を回避し、それによってネットワーク装置が遠隔端末装置を正確にページングすることを保証することができる。
【０００７】
選択可能に、前記状態情報は前記遠隔端末装置と中継端末装置が加入関係及び／又は接続関係を有するか否かを示すことに用いられ、及び／又は、前記遠隔端末装置がネットワークのカバレッジに位置するか否かを示すことに用いられる。
【０００８】
選択可能に、状態情報は端末装置が接続状態にあるか否かの情報、又は端末装置がアイドル状態にあるか否かの情報などであってもよく、本出願の実施例において状態情報は具体的に限定されず、ネットワーク装置がページング方式を確定するためのいかなる情報であってもよい。
【０００９】
したがって、本出願の実施例では、端末装置はそれ自身の状態情報を報告し、ネットワーク装置は状態情報に基づき、端末装置をどの方式でページングするかを確定し、これにより、遠隔端末装置がネットワークのカバレッジに位置しない場合、ネットワーク装置がエアインタフェースメッセージを用いる時に引き起こされるページング失敗を回避することができ、遠隔端末装置と中継端末装置の間に信頼関係がない場合、ネットワーク装置が中継端末装置を用いてページングする時に引き起こされるページング失敗を回避することもでき、本出願の実施例によるページング方法によれば、ネットワーク装置はページングする時に端末装置の状態情報に基づいてページングし、これにより、ページングの正確性を保証できる。
【００１０】
選択可能に、該ネットワーク装置は端末装置と接続関係を有する第一のアクセスネットワーク装置であってもよく、該ネットワーク装置は端末装置と接続関係を有する第一のコアネットワーク装置であってもよく、該ネットワーク装置は第一のアクセスネットワーク装置と同一のネットワークカバレッジエリア又は同一のページングエリアに位置する少なくとも一つの第二のアクセスネットワーク装置であってもよく、本出願の実施例はこれに限定されない。
【００１１】
選択可能に、状態情報が遠隔端末装置と中継端末装置が加入関係及び／又は接続関係を有するか否かを示すことに用いられる場合、前記状態情報が遠隔端末装置と中継端末装置の間の加入関係及び／又は接続関係を示すことは、遠隔端末装置が加入関係及び／又は接続関係を取得し、中継端末装置を介してネットワーク装置へ状態情報を送信することであってもよく、中継端末装置が加入関係及び／又は接続関係を取得してネットワーク装置へ状態情報を送信することであってもよい。
【００１２】
選択可能に、状態情報は前記遠隔端末装置と前記中継端末装置が信頼関係を有するか否かを示すこともできる。
【００１３】
いくつかの実施形態では、前記ページング方式はエアインタフェースメッセージを介してページングすること又は前記遠隔端末装置と加入関係及び／又は接続関係を有する中継端末装置を介してページングすることを含む。
【００１４】
いくつかの実施形態では、前記ネットワーク装置が前記状態情報に基づき、前記遠隔端末装置をページングするページング方式を確定することは、前記状態情報が、前記遠隔端末装置がネットワークのカバレッジに位置することを示すことに用いられる場合、前記ネットワーク装置が前記遠隔端末装置のページング方式としてエアインタフェースメッセージを介してページングすることを確定することを含む。
【００１５】
いくつかの実施形態では、前記ネットワーク装置が前記状態情報に基づき、前記遠隔端末装置をページングするページング方式を確定することは、前記状態情報が前記遠隔端末装置と前記中継端末装置が加入関係及び／又は接続関係を有することを示すことに用いられる場合、前記ネットワーク装置が前記遠隔端末装置のページング方式として前記中継端末装置を介してページングすることを確定することを含む。
【００１６】
いくつかの実施形態では、前記状態情報が前記遠隔端末装置と前記中継端末装置が加入関係及び／又は接続関係を有することを示すことに用いられる場合、前記ネットワーク装置が前記遠隔端末装置のページング方式が中継端末装置を介してページングすることであることを確定することは、前記状態情報が前記遠隔端末装置と前記中継端末装置が加入関係及び／又は接続関係を有することを示すことに用いられ、そして前記遠隔端末装置がネットワークのカバレッジに位置する場合、前記ネットワーク装置が前記遠隔端末装置のページング方式として前記中継端末装置を介してページングすることを確定することを含む。当然、ネットワーク装置はエアインタフェースメッセージを用いて遠隔端末装置をページングすることもでき、本出願の実施例はこれに限定されない。具体的にどの方式を用いてページングするかはプロトコルによって定められてもよい。
【００１７】
いくつかの実施形態では、前記ネットワーク装置が前記状態情報に基づき、前記遠隔端末装置をページングするページング方式を確定することは、前記状態情報が前記遠隔端末装置と前記中継端末装置が加入関係及び／又は接続関係を有しないことを示すことに用いられ、そして前記遠隔端末装置がネットワークのカバレッジに位置しない場合、前記ネットワーク装置が前記遠隔端末装置のページング方式として前記中継端末装置を介してページングすることを確定することを含む。
【００１８】
いくつかの実施形態では、前記状態情報は、前記遠隔端末装置の位置するネットワークの識別情報及び前記遠隔端末装置と前記ネットワークの識別情報に対応するネットワーク装置との間のリンク品質情報を含む。
【００１９】
いくつかの実施形態では、前記状態情報は、前記遠隔端末装置と加入関係及び／又は接続関係を有する中継端末装置の識別情報及び前記遠隔端末装置と前記中継端末装置との間のリンク品質情報を含む。
【００２０】
いくつかの実施形態では、前記ネットワーク装置が遠隔端末装置の状態情報を受信することは、前記ネットワーク装置がエアインタフェースメッセージを介し、前記遠隔端末装置から送信された前記状態情報を受信することを含む。
【００２１】
選択可能に、第一のアクセスネットワーク装置はエアインタフェースメッセージを介し、前記遠隔端末装置から送信された前記状態情報を受信し、又は少なくとも一つの第二のアクセスネットワーク装置はエアインタフェースメッセージを介し、前記遠隔端末装置から送信された前記状態情報を受信し、又は第一のコアネットワーク装置はエアインタフェースメッセージを介し、前記遠隔端末装置から送信された前記状態情報を受信する。
【００２２】
いくつかの実施形態では、前記ネットワーク装置が遠隔端末装置の状態情報を受信することは、前記ネットワーク装置が前記中継端末装置を介し、前記遠隔端末装置から送信された前記状態情報を受信することを含む。
【００２３】
選択可能に、第一のアクセスネットワーク装置は中継端末装置を介し、前記遠隔端末装置から送信された前記状態情報を受信し、又は少なくとも一つの第二のアクセスネットワーク装置は中継端末装置を介し、前記遠隔端末装置から送信された前記状態情報を受信し、又は第一のコアネットワーク装置は中継端末装置を介し、前記遠隔端末装置から送信された前記状態情報を受信する。
【００２４】
いくつかの実施形態では、前記ネットワーク装置は第一のアクセスネットワーク装置である。第一のアクセスネットワーク装置は遠隔端末装置に接続されるアクセスネットワーク装置であってもよく、このようにして遠隔端末装置は状態情報を第一のアクセスネットワーク装置に直接送信することができる。
【００２５】
いくつかの実施形態では、前記ネットワーク装置が遠隔端末装置の状態情報を受信することは、前記第一のアクセスネットワーク装置が前記遠隔端末装置から送信された前記遠隔端末装置の状態情報を受信することを含む。
【００２６】
いくつかの実施形態では、前記ネットワーク装置が遠隔端末装置の状態情報を受信することは、前記第一のアクセスネットワーク装置が第一のコアネットワーク装置から送信された前記状態情報を受信し、前記第一のコアネットワーク装置から送信された前記状態情報が前記遠隔端末装置から前記第一のコアネットワーク装置に送信されることを含む。
【００２７】
選択可能に、ネットワーク装置が第一のアクセスネットワーク装置であってもよく、遠隔端末装置は第一のコアネットワーク装置へ状態情報を送信し、第一のコアネットワーク装置は前記状態情報を第一のアクセスネットワーク装置に送信し、第一のアクセスネットワーク装置は遠隔端末装置をページングするページング方式を確定する。
【００２８】
選択可能に、ネットワーク装置が第一のコアネットワーク装置であってもよく、このようにして第一のコアネットワーク装置は遠隔端末装置をページングするページング方式を確定し、そして確定されたページング方式の情報を端末装置に接続される第一のアクセスネットワーク装置に送信することができる。
【００２９】
いくつかの実施形態では、前記ネットワーク装置が第一のアクセスネットワーク装置であり、前記ネットワーク装置が遠隔端末装置の状態情報を受信することは、前記第一のアクセスネットワーク装置が少なくとも一つの第二のアクセスネットワーク装置から送信された前記状態情報を受信し、前記少なくとも一つの第二のアクセスネットワーク装置から送信された前記状態情報が前記遠隔端末装置から前記少なくとも一つの第二のアクセスネットワーク装置に送信されることを含む。
【００３０】
選択可能に、ネットワーク装置が少なくとも一つの第二のアクセスネットワーク装置であってもよく、遠隔端末装置は少なくとも一つの第二のアクセスネットワーク装置へ状態情報を送信し、少なくとも一つの第二のアクセスネットワーク装置は前記状態情報を第一のアクセスネットワーク装置に送信し、第一のアクセスネットワーク装置は遠隔端末装置をページングするページング方式を確定する。少なくとも一つの第二のアクセスネットワーク装置は第一のアクセスネットワーク装置と異なり、少なくとも一つの第二のアクセスネットワーク装置と第一のアクセスネットワーク装置は同一のネットワークカバレッジに位置するアクセスネットワーク装置であってもよく、又は少なくとも一つの第二のアクセスネットワーク装置と第一のアクセスネットワーク装置は同一のページングエリアに位置するアクセスネットワーク装置であってもよい。
【００３１】
選択可能に、ネットワーク装置は、少なくとも一つの第二のアクセスネットワーク装置であってもよく、このようにして少なくとも一つのアクセスネットワーク装置は遠隔端末装置をページングするページング方式を確定し、そして確定されたページング方式の情報を端末装置に接続される第一のアクセスネットワーク装置に送信することができる。
【００３２】
いくつかの実施形態では、前記第一のアクセスネットワーク装置が第一のコアネットワーク装置から送信された前記状態情報を受信することは、前記第一のアクセスネットワーク装置が前記第一のコアネットワーク装置から送信された第一のページングリクエストメッセージを受信し、前記第一のページングリクエストメッセージに前記状態情報が含まれることを含む。ページングが第一のコアネットワーク装置によって開始されたページングであってもよく、このようにして、第一のコアネットワーク装置は遠隔端末装置をページングする時に、第一のアクセスネットワーク装置へ第一のページングリクエストメッセージを送信し、該第一のページングリクエストメッセージに状態情報が含まれ、第一のアクセスネットワーク装置は第一のページングリクエストメッセージに含まれる状態情報に基づいてページング方式を確定する。
【００３３】
選択可能に、ページングが第一のコアネットワーク装置によって開始されたページングであってもよく、第一のコアネットワーク装置は受信された状態情報に基づき、遠隔端末装置をページングするページング方式を確定し、第一のコアネットワーク装置が遠隔端末装置をページングする必要がある場合、第一のコアネットワーク装置はページング方式の関連情報を第一のページングリクエストメッセージに含ませて第一のアクセスネットワーク装置に送信することができ、第一のアクセスネットワーク装置は第一のページングリクエストメッセージに含まれるページング方式の関連情報に基づいて遠隔端末装置をページングする。
【００３４】
いくつかの実施形態では、前記第一のアクセスネットワーク装置が少なくとも一つの第二のアクセスネットワーク装置から送信された前記状態情報を受信することは、前記第一のアクセスネットワーク装置が前記少なくとも一つの第二のアクセスネットワークから送信された第二のページングリクエストメッセージを受信し、前記第二のページングリクエストメッセージに前記状態情報が含まれることを含む。ページングが少なくとも一つの第二のアクセスネットワーク装置によって開始されたページングであってもよく、このようにして、第二のアクセスネットワーク装置は遠隔端末装置をページングする時に、第一のアクセスネットワーク装置へ第二のページングリクエストメッセージを送信し、該第二のページングリクエストメッセージに状態情報が含まれ、第一のアクセスネットワーク装置は第一のページングリクエストメッセージに含まれる状態情報に基づいてページング方式を確定する。
【００３５】
選択可能に、ページングが少なくとも一つの第二のアクセスネットワーク装置によって開始されたページングであってもよく、少なくとも一つの第二のアクセスネットワーク装置は受信された状態情報に基づき、遠隔端末装置をページングするページング方式を確定し、少なくとも一つの第二のアクセスネットワーク装置が遠隔端末装置をページングする必要がある場合、少なくとも一つの第二のアクセスネットワーク装置はページング方式の関連情報を第二のページングリクエストメッセージに含ませて第一のアクセスネットワーク装置に送信することができ、第一のアクセスネットワーク装置は第一のページングリクエストメッセージに含まれるページング方式の関連情報に基づいて遠隔端末装置をページングする。
【００３６】
第二の態様によるページング方法は、遠隔端末装置が状態情報を確定することと、前記遠隔端末装置がネットワーク装置へ前記状態情報を送信し、前記状態情報が前記遠隔端末装置をページングするページング方式を確定するために前記ネットワーク装置によって用いられることとを含む。
【００３７】
選択可能に、遠隔端末装置はネットワーク装置から送信されたページングメッセージを受信又は監視することができる。
【００３８】
選択可能に、前記状態情報は前記遠隔端末装置と中継端末装置が加入関係及び／又は接続関係を有するか否かを示すことに用いられ、及び／又は、前記遠隔端末装置がネットワークのカバレッジに位置するか否かを示すことに用いられる。
【００３９】
いくつかの実施形態では、前記遠隔端末装置がネットワーク装置へ前記状態情報を送信することは、前記遠隔端末装置がエアインタフェースメッセージを介して前記ネットワーク装置へ前記状態情報を送信することを含む。
【００４０】
選択可能に、前記遠隔端末装置がエアインタフェースメッセージを介して第一のアクセスネットワーク装置へ前記状態情報を送信し、又は前記遠隔端末装置はエアインタフェースメッセージを介して第一のコアネットワーク装置へ前記状態情報を送信し、又は前記遠隔端末装置はエアインタフェースメッセージを介して少なくとも一つの第二のアクセスネットワーク装置へ前記状態情報を送信する。
【００４１】
いくつかの実施形態では、前記遠隔端末装置がネットワーク装置へ前記状態情報を送信することは、前記遠隔端末装置が前記中継端末装置を介して前記ネットワーク装置へ前記状態情報を送信することを含む。
【００４２】
選択可能に、前記遠隔端末装置が中継端末装置を介して第一のアクセスネットワーク装置へ前記状態情報を送信し、又は前記遠隔端末装置は中継端末装置を介して第一のコアネットワーク装置へ前記状態情報を送信し、又は前記遠隔端末装置は中継端末装置を介して少なくとも一つの第二のアクセスネットワーク装置へ前記状態情報を送信する。
【００４３】
いくつかの実施形態では、前記遠隔端末装置が状態情報を確定することは、前記遠隔端末装置が前記遠隔端末装置とネットワーク装置との間のリンク品質情報に基づいて前記状態情報を確定することを含む。
【００４４】
いくつかの実施形態では、前記遠隔端末装置が状態情報を確定することは、前記遠隔端末装置と、前記遠隔端末装置と加入関係及び／又は接続関係を有する中継端末装置との間のリンク品質情報に基づいて前記状態情報を確定することを含む。
【００４５】
いくつかの実施形態では、前記遠隔端末装置がネットワーク装置へ前記状態情報を送信することは、前記遠隔端末装置が第一のアクセスネットワーク装置へ前記状態情報を送信することを含む。
【００４６】
いくつかの実施形態では、前記遠隔端末装置がネットワーク装置へ前記状態情報を送信することは、前記遠隔端末装置が第一のコアネットワーク装置へ前記状態情報を送信することを含む。
【００４７】
いくつかの実施形態では、前記遠隔端末装置がネットワーク装置へ前記状態情報を送信することは、前記遠隔端末装置が少なくとも一つの第二のアクセスネットワーク装置へ前記状態情報を送信し、前記第一のアクセスネットワーク装置が前記少なくとも一つの第二のアクセスネットワーク装置と異なることを含む。
【００４８】
いくつかの実施形態では、前記遠隔端末装置がネットワーク装置へ前記状態情報を送信した後、前記方法はさらに前記遠隔端末装置が前記状態情報に基づき、前記第一のアクセスネットワーク装置から送信されたページングメッセージを受信することを含む。
【００４９】
いくつかの実施形態では、前記遠隔端末装置が前記状態情報に基づき、前記第一のアクセスネットワーク装置から送信されたページングメッセージを受信することは、前記状態情報が、前記遠隔端末装置がネットワークのカバレッジに位置することを示すことに用いられる場合、前記遠隔端末装置がエアインタフェースメッセージを監視し、前記エアインタフェースメッセージを介し、前記第一のアクセスネットワーク装置から送信された前記ページングメッセージを受信することを含む。
【００５０】
いくつかの実施形態では、前記遠隔端末装置が前記状態情報に基づき、前記第一のアクセスネットワーク装置から送信されたページングメッセージを受信することは、前記状態情報が前記遠隔端末装置と前記中継端末装置が加入関係及び／又は接続関係を有することを示すことに用いられる場合、前記遠隔端末装置が前記第一のアクセスネットワーク装置から前記中継端末装置を介して送信された前記ページングメッセージを受信することを含む。
【００５１】
いくつかの実施形態では、前記状態情報が前記遠隔端末装置と前記中継端末装置が加入関係及び／又は接続関係を有することを示すことに用いられる場合、前記遠隔端末装置が前記第一のアクセスネットワーク装置から前記中継端末装置を介して送信された前記ページングメッセージを受信することは、前記状態情報が前記遠隔端末装置と前記中継端末装置が加入関係及び／又は接続関係を有することを示すことに用いられ、そして前記遠隔端末装置がネットワークのカバレッジに位置する場合、前記遠隔端末装置が前記第一のアクセスネットワーク装置から前記中継端末装置を介して送信された前記ページングメッセージを受信することを含む。当然、遠隔端末装置はエアインタフェースメッセージを用いてページングメッセージを受信することもでき、本出願の実施例はこれに限定されない。具体的にどの方式を用いてページングメッセージを受信するかはプロトコルによって定められてもよく、又はネットワークによって設定されてもよい。
【００５２】
いくつかの実施形態では、前記遠隔端末装置が前記状態情報に基づき、前記第一のアクセスネットワーク装置から送信されたページングメッセージを受信することは、前記状態情報が前記遠隔端末装置と前記中継端末装置が加入関係及び／又は接続関係を有しないことを示すことに用いられ、そして前記遠隔端末装置がネットワークのカバレッジに位置しない場合、前記遠隔端末装置が前記第一のアクセスネットワーク装置から前記中継端末装置を介して送信された前記ページングメッセージを受信することを含む。
【００５３】
第三の態様によるページング装置は、上記第一の態様又は第一の態様のいずれかの可能な実施形態における方法を実行することに用いられる。具体的には、該装置は、上記第一の態様又は第一の態様のいずれかの可能な実施形態における方法を実行するためのユニットを備える。
【００５４】
第四の態様によるページング装置は、上記第二の態様又は第二の態様のいずれかの可能な実施形態における方法を実行することに用いられる。具体的には、該装置は、上記第二の態様又は第二の態様のいずれかの可能な実施形態における方法を実行するためのユニットを備える。
【００５５】
第五の態様によるページングシステムは、第三の態様又はそのいずれかの選択可能な実施形態における装置と第四の態様又はそのいずれかの選択可能な実施形態における装置を備える。
【００５６】
第六の態様によるページング装置は、メモリ、プロセッサ、入力／出力インタフェースと通信インタフェースを備えることができる。ここで、メモリ、プロセッサ、入力／出力インタフェースと通信インタフェースの間に通信接続があり、該メモリが命令を記憶するように構成され、該プロセッサが該メモリに記憶された命令を実行するように構成され、前記命令が実行される場合、前記プロセッサが前記通信インタフェースによって第一の態様の方法を実行し、そして入力されたデータ及び情報を受信し、操作結果などのデータを出力するように入力／出力インタフェースを制御する。
【００５７】
第七の態様によるページング装置は、メモリ、プロセッサ、入力／出力インタフェースと通信インタフェースを備えることができる。ここで、メモリ、プロセッサ、入力／出力インタフェースと通信インタフェースの間に通信接続があり、該メモリが命令を記憶するように構成され、該プロセッサが該メモリに記憶された命令を実行するように構成され、前記命令が実行される場合、前記プロセッサが前記通信インタフェースによって第二の態様の方法を実行し、そして入力されたデータ及び情報を受信し、操作結果などのデータを出力するように入力／出力インタフェースを制御する。
【００５８】
第八の態様によるコンピュータ可読媒体は、端末装置で実行されるためのプログラムコードを記憶し、前記プログラムコードが第一の態様又はその様々な実施形態における方法を実行するための命令を含む。
【００５９】
第九の態様によるコンピュータ可読媒体は、ネットワーク装置で実行されるためのプログラムコードを記憶し、前記プログラムコードが第二の態様又はその様々な実施形態における方法を実行するための命令を含む。
【００６０】
第十の態様によるページング方法は、中継端末装置が遠隔端末装置の状態情報を確定し、前記状態情報が前記遠隔端末装置をページングするページング方式を確定するためにネットワーク装置によって用いられることと、前記中継端末装置が前記ネットワーク装置へ前記状態情報を送信することとを含む。
【００６１】
本出願によるページング方法では、中継端末装置は遠隔端末装置の状態情報をネットワーク装置に送信し、そのためネットワーク装置は受信された状態情報に基づき、遠隔端末装置をページングするページング方式を確定することができ、これにより、ネットワーク装置のブラインドページングによって引き起こされるページング失敗を回避し、それによってネットワーク装置が遠隔端末装置を正確にページングすることを保証することができる。
【００６２】
選択可能に、前記状態情報は前記遠隔端末装置と中継端末装置が加入関係及び／又は接続関係を有するか否かを示すことに用いられ、及び／又は、前記遠隔端末装置がネットワークのカバレッジに位置するか否かを示すことに用いられる。
【００６３】
選択可能に、状態情報は前記遠隔端末装置と前記中継端末装置が信頼関係を有するか否かを示すこともできる。
【００６４】
いくつかの実施形態では、前記中継端末装置が前記ネットワーク装置へ前記状態情報を送信することは、前記中継端末装置がエアインタフェースメッセージを介して前記ネットワーク装置へ前記状態情報を送信することを含む。
【００６５】
いくつかの実施形態では、前記ネットワーク装置は第一のアクセスネットワーク装置である。
【００６６】
ここで、前記中継端末装置が前記ネットワーク装置へ前記状態情報を送信することは、
前記中継端末装置が前記第一のアクセスネットワーク装置へ前記状態情報を送信すること、又は、
前記中継端末装置が第一のコアネットワーク装置へ前記状態情報を送信し、前記第一のコアネットワーク装置が前記状態情報を前記第一のアクセスネットワーク装置に送信することに用いられること、又は、
前記中継端末装置が少なくとも一つの第二のアクセスネットワーク装置へ前記状態情報を送信し、前記少なくとも一つの第二のアクセスネットワーク装置が前記状態情報を前記第一のアクセスネットワーク装置に送信することに用いられることを含む。
【００６７】
いくつかの実施形態では、前記方法はさらに前記中継端末装置が前記第一のアクセスネットワーク装置から送信されたページングメッセージを受信することと、前記中継端末装置が前記遠隔端末装置へ前記ページングメッセージを送信することとを含む。
【００６８】
第十一の態様によるページング装置は、上記第十の態様又は第十の態様のいずれかの可能な実施形態における方法を実行することに用いられる。具体的には、該装置は、上記第十の態様又は第十の態様のいずれかの可能な実施形態における方法を実行するための機能モジュールを備える。
【００６９】
第十二の態様によるページング装置は、メモリ、プロセッサ、入力／出力インタフェースと通信インタフェースを備えることができる。ここで、メモリ、プロセッサ、入力／出力インタフェースと通信インタフェースの間に通信接続があり、該メモリが命令を記憶するように構成され、該プロセッサが該メモリに記憶された命令を実行するように構成され、前記命令が実行される場合、前記プロセッサが前記通信インタフェースによって第十の態様又はその様々な実施形態における方法を実行し、そして入力されたデータ及び情報を受信し、操作結果などのデータを出力するように入力／出力インタフェースを制御する。
【００７０】
第十三の態様によるコンピュータ可読媒体は、端末装置で実行されるためのプログラムコードを記憶し、前記プログラムコードが第十の態様又はその様々な実施形態における方法を実行するための命令を含む。
【図面の簡単な説明】
【００７１】
【図１】本出願の実施例の一つの応用シーンを示す図である。
【図２】本出願の実施例によるページング方法を示す図である。
【図３】本出願の実施例による別のページング方法を示す図である。
【図４】本出願の実施例によるページング装置を示す図である。
【図５】本出願の実施例による別のページング装置を示す図である。
【図６】本出願の実施例によるページングシステムを示す図である。
【図７】本出願の実施例によるページング装置を示す図である。
【図８】本出願の実施例による別のページング装置を示す図である。
【図９】本出願の実施例による別のページング方法を示す図である。
【図１０】本出願の実施例による別のページング装置を示す図である。
【図１１】本出願の実施例による別のページングシステムを示す図である。
【図１２】本出願の実施例による別のページング装置を示す図である。
【発明を実施するための形態】
【００７２】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：ｌｏｎｇ  ｔｅｒｍ  ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、無線ローカルエリアネットワーク（ＷＬＡＮ：ｗｉｒｅｌｅｓｓ  ｌｏｃａｌ  ａｒｅａ  ｎｅｔｗｏｒｋ）又は将来の第五世代無線通信システム（５Ｇ：ｔｈｅ  ｆｉｆｔｈ  Ｇｅｎｅｒａｔｉｏｎ）などに応用されてもよい。
【００７３】
本出願の実施例では、端末装置はユーザ装置（ＵＥ：ｕｓｅｒ  ｅｑｕｉｐｍｅｎｔ）、移動ステーション（ＭＳ：ｍｏｂｉｌｅ  ｓｔａｔｉｏｎ）、移動端末（Ｍｏｂｉｌｅ  Ｔｅｒｍｉｎａｌ）又は将来の５Ｇネットワークにおける端末装置などとして呼ばれてもよく、該端末装置は、無線アクセスネットワーク（ＲＡＮ：Ｒａｄｉｏ  Ａｃｃｅｓｓ  Ｎｅｔｗｏｒｋ）を介して一つ又は複数のコアネットワークと通信を行うことができ、例えば、端末装置は移動電話（又は「セルラー」電話と呼ばれる）又は無線通信機能を備えたコンピュータなどであってもよく、例えば、端末はさらにポータブル型、ポケット型、ハンドヘルド型、コンピュータ内蔵型又は車載移動端末であってもよく、それらが無線アクセスネットワークと音声及び／又はデータを交換する。
【００７４】
本出願の実施例では、アクセスネットワーク装置はＧＳＭ又はＣＤＭＡにおける基地局コントローラ（ＢＳＣ：ｂａｓｅ  ｓｔａｔｉｏｎ  ｃｏｎｔｒｏｌｌｅｒ）であってもよく、ＷＣＤＭＡにおける無線ノードコントローラ（ＲＮＣ：ｒａｄｉｏ  ｎｏｄｅ  ｃｏｎｔｒｏｌｌｅｒ）であってもよく、ＬＴＥにおける進化型基地局（ｅｖｏｌｖｅｄ  ｎｏｄｅ  Ｂ、「ｅＮＢ又はｅ−ＮｏｄｅＢ」と略称）、又は中継局又はアクセスポイント、又は車載装置、ウェアラブル装置及び将来の５Ｇネットワークにおけるアクセスネットワーク装置であってもよく、本出願はこれらに限定されない。
【００７５】
本出願の実施例では、コアネットワーク装置はモビリティ管理エンティティ（ＭＭＥ：ｍｏｂｉｌｉｔｙ  ｍａｎａｇｅｍｅｎｔ  ｅｎｔｉｔｙ）と汎用パケット無線サービス（ＧＰＲＳ：ｇｅｎｅｒａｌ  ｐａｃｋｅｔ  ｒａｄｉｏ  ｓｅｒｖｉｃｅ）サービスのサ―ビングサポートノード（ＳＧＳＮ：ｓｅｒｖｉｎｇ  ＧＰＲＳ  ｓｕｐｐｏｒｔ  ｎｏｄｅ）を含む。
【００７６】
図１は本出願の実施例の応用シーンを示す図である。
【００７７】
ネットワーク装置１１０は、セルラー端末装置１４０とエアインタフェース通信を行うことに用いられ、そして中継端末装置１２０を介して遠隔端末装置１３０と通信することに用いられてもよく、例えば、ネットワーク装置１１０は中継端末装置１２０へページングメッセージを送信することができ、該ページングメッセージが遠隔端末装置１３０をページングすることに用いられる。
【００７８】
中継端末装置１２０は、ネットワーク装置１１０と通信することに用いられ、又は遠隔端末装置１３０と通信することに用いられ、又は遠隔端末装置１３０のアップリンクデータをネットワーク装置１１０に転送することに用いられ、ネットワーク装置１１０のダウンリンクデータを遠隔端末装置１３０に転送することに用いられ、中継端末装置１２０と遠隔端末装置１３０との通信がＤ２Ｄ通信と呼ばれてもよく、Ｄ２Ｄ通信が端末装置間の直接通信技術であり、隣接する中継端末装置１２０と遠隔端末装置１３０はネットワーク装置１１０によって転送する必要がなく、直接接続リンクによってデータ伝送を行い、中継端末装置１２０と遠隔端末装置１３０との通信が広いネットワークカバレッジで高いデータレート、低い遅延と低い電力消費を達成することができ、周波数リソースの利用率を向上させ、リソース空間分割多重化を得ることができるという利点を有する。理解すべきものとして、本出願の実施例では、Ｄ２Ｄとはセルラーシステムがライセンスバンドリソースを用いた端末直接通信技術をセルラーシステムと共有し、統一された混合セルラーとＤ２Ｄネットワークを形成することを意味する。
【００７９】
遠隔端末装置１３０は、中継端末装置１２０と通信することに用いられる。又は、遠隔端末装置１３０がネットワーク装置１１０のカバレッジに位置する場合、遠隔端末装置１３０はネットワーク装置１１０と直接通信することができ、遠隔端末装置１３０がネットワーク装置１１０のカバレッジに位置しない場合、遠隔端末装置１３０は中継端末装置１２０を介してネットワーク装置１１０と通信することができる。
【００８０】
セルラー端末装置１４０はセルラー通信によってネットワーク装置１１０と直接通信することに用いられる。
【００８１】
理解すべきものとして、本出願の実施例の応用シーンでは、中継端末装置１２０が遠隔端末装置１３０とネットワーク装置１１０の通信を支援する場合、遠隔端末装置１３０と中継端末装置１２０はＤ２Ｄ通信モードを用いるが、中継端末装置１２０とネットワーク装置はセルラー通信モードを用いる。中継端末装置１２０は半二重モードを用いてデータを受信及び転送し、そして受信及び転送過程にセルラー通信モードをＤ２Ｄ通信モードに変換し、又はＤ２Ｄ通信モードをセルラー通信モードに変換する。
【００８２】
図２は本出願の実施例によるページング方法２００を示す概略フローチャートである。図２に本出願の実施例によるページング方法のステップ又は動作が示されるが、これらのステップ又は動作が例だけであり、本出願の実施例はさらに他の動作又は図２の各動作の変形を実行することができ、該方法２００は以下を含む。
【００８３】
Ｓ２１０において、遠隔端末装置は状態情報を確定する。
【００８４】
選択可能に、前記状態情報は前記遠隔端末装置と中継端末装置が加入関係及び／又は接続関係を有するか否かを示すことに用いられ、及び／又は、前記遠隔端末装置がネットワークのカバレッジに位置するか否かを示すことに用いられる。
【００８５】
Ｓ２２０において、前記遠隔端末装置はネットワーク装置へ前記状態情報を送信し、前記状態情報が前記遠隔端末装置をページングするページング方式を確定することに用いられる。
【００８６】
図３は本出願の実施例によるページング方法３００を示す概略フローチャートである。図３に本出願の実施例によるページング方法のステップ又は動作が示されるが、これらのステップ又は動作が例だけであり、本出願の実施例はさらに他の動作又は図３の各動作の変形を実行することができ、該方法３００は以下を含む。
【００８７】
Ｓ３１０において、ネットワーク装置は遠隔端末装置の状態情報を受信する。
【００８８】
選択可能に、前記状態情報は前記遠隔端末装置と中継端末装置が加入関係及び／又は接続関係を有するか否かを示すことに用いられ、及び／又は、前記遠隔端末装置がネットワークのカバレッジに位置するか否かを示すことに用いられる。
【００８９】
Ｓ３２０において、前記ネットワーク装置は前記状態情報に基づき、前記遠隔端末装置をページングするページング方式を確定する。
【００９０】
選択可能に、前記ページング方式はエアインタフェースメッセージを介してページングすること又は前記遠隔端末装置と加入関係及び／又は接続関係を有する中継端末装置を介してページングすることを含む。
【００９１】
Ｓ３３０において、前記ネットワーク装置は前記ページング方式に応じて前記遠隔端末装置をページングする。
【００９２】
したがって、本出願の実施例では、端末装置はそれ自身の状態情報を報告し、ネットワーク装置は状態情報に基づき、端末装置をどの方式でページングするかを確定し、例えば、状態情報が遠隔端末装置と中継端末装置が加入関係及び／又は接続関係を有することを示すことに用いられる場合、ネットワーク装置は中継端末装置を介して遠隔端末装置へページングメッセージを送信することを確定することができ、遠隔端末装置は中継端末装置によって送信されたページングメッセージを受信し、状態情報が、遠隔端末装置が現在ネットワークカバレッジに位置することを示す場合、ネットワーク装置はエアインタフェースメッセージを介して遠隔端末装置へページングメッセージを送信することができ、遠隔端末装置はエアインタフェースでページングメッセージを監視し、このようにして、ネットワーク装置は遠隔端末装置の異なる状態情報に基づいて異なる方式を選択して遠隔端末装置をページングすることができ、これにより、遠隔端末装置がネットワークのカバレッジに位置しない場合、ネットワーク装置がエアインタフェースメッセージを用いる時に引き起こされるページング失敗を回避することができ、また、遠隔端末装置と中継端末装置の間に信頼関係がない場合、ネットワーク装置が中継端末装置を用いてページングすることによって引き起こされるページング失敗を回避することもでき、本出願の実施例におけるページング方法により、ページングの正確性を保証できる。
【００９３】
一つの選択可能な実施例として、Ｓ２１０は、前記遠隔端末装置が前記遠隔端末装置とネットワークカバレッジに位置するネットワーク装置との間のリンク品質情報、及び／又は、前記遠隔端末装置と前記遠隔端末装置との加入関係及び／又は接続関係を有する中継端末装置との間のリンク品質情報に基づいて前記状態情報を確定することを含む。したがって、前記状態情報は、前記遠隔端末装置の位置するネットワークの識別情報及び前記遠隔端末装置と前記ネットワークの識別情報に対応するネットワーク装置との間のリンク品質情報、及び／又は、前記遠隔端末装置と加入関係及び／又は接続関係を有する中継端末装置の識別情報及び前記遠隔端末装置と前記中継端末装置との間のリンク品質情報を含む。
【００９４】
具体的には、遠隔端末装置は受信された基準信号受信電力（Ｒｅｆｅｒｅｎｃｅ  Ｓｉｇｎａｌ  Ｒｅｃｅｉｖｉｎｇ  Ｐｏｗｅｒ、「ＲＳＲＰ」と略称）に基づいてリンク品質情報を確定することができ、例えばＲＳＲＰが第一の閾値より大きい場合、現在のリンク品質が通信ニーズを満たしていることができると考えられてもよく、該遠隔端末装置がネットワークのカバレッジに位置すると考えられてもよく、ＲＳＲＰが第一の閾値以下である場合、現在のリンク品質が通信ニーズを満たしていないと考えられてもよく、該遠隔端末装置がネットワークのカバレッジに位置しないと考えられてもよく、遠隔端末装置は、報告する時に、通信ニーズを満たしているリンク品質情報を報告することができ、又は通信ニーズを満たしていないリンク品質情報を報告することもでき、本出願の実施例はこれに限定されない。遠隔端末装置はそれ自体と中継端末装置の間のリンク品質に基づき、前記遠隔端末装置と前記中継端末装置が加入関係及び／又は接続関係を有するか否かを確定することもでき、遠隔端末装置と中継端末装置の間のＲＳＲＰが第二の閾値より大きい場合、遠隔端末装置と中継端末装置が加入関係及び／又は接続関係を有すると考えられてもよく、遠隔端末装置と中継端末装置の間のＲＳＲＰが第二の閾値以下である場合、遠隔端末装置と中継端末装置が加入関係及び／又は接続関係を有しないと考えられてもよい。遠隔端末装置は報告する時に、加入関係及び／又は接続関係を有するという情報を報告することができ、加入関係及び／又は接続関係を有しないという情報を報告することもでき、本出願の実施例はこれに限定されない。当然、遠隔端末装置が中継端末装置と加入関係及び／又は接続関係を有するか否かという情報を報告することができる以外、中継端末装置は、遠隔端末装置と加入関係及び／又は接続関係を有するか否かという情報を報告することもでき、本出願の実施例はこれに限定されない。
【００９５】
一つの選択可能な実施例として、Ｓ２２０は、前記遠隔端末装置がエアインタフェースメッセージを介してネットワーク装置へ前記状態情報を送信することを含み、Ｓ３１０は、前記ネットワーク装置がエアインタフェースメッセージを介して前記状態情報を受信することを含む。具体的には、遠隔端末装置が、それ自体がネットワークのカバレッジに位置することを確定した場合、遠隔端末装置はエアインタフェースメッセージを介してネットワーク装置へ状態情報を送信し、遠隔端末装置がそれ自体がネットワークのカバレッジに位置しないことを確定した場合、遠隔端末装置は中継端末装置を介してネットワーク装置へ状態情報を送信し、即ち、この場合、遠隔端末装置はまずそれ自体がネットワーク装置のカバレッジに位置するか否かを判定し、位置すれば、エアインタフェースメッセージを用いて状態情報を報告し、位置しなければ、中継端末装置を用いて状態情報を報告する。
【００９６】
一つの選択可能な実施例として、Ｓ２２０は、前記遠隔端末装置が前記中継端末装置を介して前記状態情報を送信することを含み、Ｓ３１０は、前記ネットワーク装置が前記中継端末装置を介し、前記遠隔端末装置から送信された前記状態情報を受信することを含む。具体的には、遠隔端末装置が、それ自体が中継端末装置と加入関係及び／又は接続関係を有することを確定した場合、遠隔端末装置は中継端末装置を用いてネットワーク装置へ状態情報を報告することを確定する。この場合、遠隔端末装置はまずそれ自体が中継端末装置と加入関係及び／又は接続関係を有するか否かを判定し、有すれば、中継端末装置を用いてネットワーク装置へ状態情報を報告し、より具体的には、遠隔端末装置が中継端末装置と加入関係及び／又は接続関係を有しないことを確定した場合、遠隔端末装置はそれ自体がネットワークのカバレッジに位置するか否かを判定し、遠隔端末装置がネットワークのカバレッジに位置する場合、エアインタフェースメッセージによって状態情報を報告し、遠隔端末装置がネットワークのカバレッジに位置しない場合、中継端末装置によって状態情報を報告する。
【００９７】
一つの選択可能な実施例として、前記ネットワーク装置が第一のアクセスネットワーク装置であり、Ｓ２２０は、前記遠隔端末装置が第一のアクセスネットワーク装置へ前記状態情報を送信することを含み、Ｓ３１０は、前記第一のアクセスネットワーク装置が遠隔端末装置の状態情報を受信することを含む。
【００９８】
一つの選択可能な実施例として、Ｓ２２０は、前記遠隔端末装置が第一のコアネットワーク装置へ前記状態情報を送信することと、前記第一のコアネットワーク装置が前記第一のアクセスネットワーク装置へ前記状態情報を送信することとを含み、Ｓ３１０は、前記第一のアクセスネットワーク装置が第一のコアネットワーク装置から送信された前記状態情報を受信することを含む。選択可能に、前記第一のコアネットワーク装置は第一のページングリクエストメッセージを介して前記第一のアクセスネットワーク装置へ前記状態情報を送信し、前記第一のアクセスネットワーク装置は前記第一のコアネットワーク装置から送信された第一のページングリクエストメッセージを受信し、前記第一のページングリクエストメッセージに前記状態情報が含まれる。
【００９９】
一つの選択可能な実施例として、Ｓ２２０は、前記遠隔端末装置が少なくとも一つの第二のアクセスネットワーク装置へ前記状態情報を送信することと、前記少なくとも一つの第二のアクセスネットワーク装置が前記第一のアクセスネットワーク装置へ前記状態情報を送信することとを含み、Ｓ３１０は、前記第一のアクセスネットワーク装置が前記少なくとも一つの第二のアクセスネットワーク装置から送信された前記状態情報を受信することを含む。選択可能に、前記少なくとも一つの第二のアクセスネットワーク装置は第二のページングリクエストメッセージを介して前記第一のアクセスネットワーク装置へ前記状態情報を送信し、前記第一のアクセスネットワーク装置は前記少なくとも一つの第二のコアネットワーク装置から送信された第二のページングリクエストメッセージを受信し、前記第二のページングリクエストメッセージに前記状態情報が含まれる。
【０１００】
理解すべきものとして、本出願の実施例では、状態情報がどの装置に報告されるかについて３つの方式がある。第一の方式において、遠隔端末装置は前記遠隔端末装置と接続関係を有する第一のアクセスネットワーク装置へ状態情報を直接報告することができ、第一のアクセスネットワーク装置は状態情報に基づき、前記遠隔端末装置をページングするページング方式を確定する。第二の方式において、遠隔端末装置は前記遠隔端末装置と接続関係を有する第一のコアネットワーク装置へ状態情報を報告することができ、第一のコアネットワーク装置は該状態情報を第一のアクセスネットワーク装置に送信し、第一のアクセスネットワーク装置は状態情報に基づき、遠隔端末装置をページングするページング方式を確定し、又は第一のコアネットワーク装置は前記状態情報に基づき、遠隔端末装置をページングするページング方式を確定し、そして前記ページング方式と関連する情報を第一のアクセスネットワーク装置に送信し、例えば該ページング方式の関連情報が中継端末装置の識別情報などであってもよく、本出願の実施例はこれに限定されない。第三の方式において、遠隔端末装置は少なくとも一つの第二のアクセスネットワーク装置へ状態情報を報告することができ、少なくとも一つの第二のアクセスネットワーク装置は該状態情報を第一のアクセスネットワーク装置に送信し、第一のアクセスネットワーク装置は状態情報に基づき、遠隔端末装置をページングするページング方式を確定し、又は少なくとも一つの第二のアクセスネットワーク装置は前記状態情報に基づき、遠隔端末装置をページングするページング方式を確定し、そして前記ページング方式と関連する情報を第一のアクセスネットワーク装置に送信し、例えば該ページング方式の関連情報が中継端末装置の識別情報などであってもよい。説明すべきものとして、ここでの第一のアクセスネットワーク装置と少なくとも一つの第二のアクセスネットワーク装置は同じ第一のコアネットワーク装置のカバレッジに位置するアクセスネットワーク装置、又は同一のページングエリアに位置するアクセスネットワーク装置であってもよく、本出願の実施例はこれに限定されない。当然、第一のアクセスネットワーク装置は少なくとも一つの第二のアクセスネットワーク装置のうちの各第二のアクセスネットワーク装置と異なる。
【０１０１】
ネットワーク装置が前記状態情報に基づき、前記遠隔端末装置をページングするページング方式を確定することは以下のいくつかの方式に分けられる。
【０１０２】
第一の方式において、前記状態情報が、前記遠隔端末装置がネットワークカバレッジに位置することを示すことに用いられる場合、前記ネットワーク装置は、前記遠隔端末装置のページング方式としてエアインタフェースメッセージを介してページングすることを確定する。この方式において、前記状態情報が、遠隔端末装置がネットワークのカバレッジに位置することを示すことに用いられる場合、遠隔端末装置と中継端末装置が加入関係及び／又は接続関係を有するか否かに関わらず、ネットワーク装置はエアインタフェースメッセージを用いてページングメッセージを送信する。
【０１０３】
第二の方式において、前記状態情報が前記遠隔端末装置と前記中継端末装置が加入関係及び／又は接続関係を有することを示すことに用いられる場合、前記ネットワーク装置が前記遠隔端末装置のページング方式として前記中継端末装置を介してページングすることを確定する。この方式において、前記状態情報が遠隔端末装置と中継端末装置が加入関係及び／又は接続関係を有することを示すことに用いられる場合、遠隔端末装置がネットワークのカバレッジに位置するか否かに関わらず、ネットワーク装置は中継端末装置を用いてページングメッセージを送信する。
【０１０４】
第三の方式において、前記状態情報が前記遠隔端末装置と前記中継端末装置が加入関係及び／又は接続関係を有することを示すことに用いられ、そして前記遠隔端末装置がネットワークのカバレッジに位置する場合、前記ネットワーク装置は前記遠隔端末装置のページング方式として前記中継端末装置を介してページングすることを確定する。
【０１０５】
第四の方式において、前記状態情報が前記遠隔端末装置と前記中継端末装置が加入関係及び／又は接続関係を有することを示すことに用いられ、そして前記遠隔端末装置がネットワークのカバレッジに位置する場合、前記ネットワーク装置は前記遠隔端末装置のページング方式としてエアインタフェースメッセージを介してページングすることを確定する。
【０１０６】
第五の方式において、前記状態情報が前記遠隔端末装置と前記中継端末装置が加入関係及び／又は接続関係を有しないことを示すことに用いられ、そして前記遠隔端末装置がネットワークのカバレッジに位置する場合、前記ネットワーク装置は前記遠隔端末装置のページング方式として前記中継端末装置を介してページングすることを確定する。
【０１０７】
一つの選択可能な実施例として、前記遠隔端末装置がネットワーク装置へ前記状態情報を送信した後、前記方法２００はさらに前記遠隔端末装置が前記状態情報に基づき、前記第一のアクセスネットワーク装置から送信されたページングメッセージを受信することを含む。
【０１０８】
前記遠隔端末装置が前記状態情報に基づき、前記第一のアクセスネットワーク装置から送信されたページングメッセージを受信することは以下のいくつかの方式を含む。
【０１０９】
第一の方式において、前記状態情報が、前記遠隔端末装置がネットワークのカバレッジに位置することを示すことに用いられる場合、前記遠隔端末装置はエアインタフェースメッセージを監視し、前記エアインタフェースメッセージを介し、前記第一のアクセスネットワーク装置から送信された前記ページングメッセージを受信する。この方式において、前記状態情報が、遠隔端末装置がネットワークのカバレッジに位置することを示すことに用いられる場合、遠隔端末装置と中継端末装置が加入関係及び／又は接続関係を有するか否かに関わらず、遠隔端末装置は、エアインタフェースメッセージを用いてページングメッセージを受信する。
【０１１０】
第二の方式において、前記状態情報が前記遠隔端末装置と前記中継端末装置が加入関係及び／又は接続関係を有することを示すことに用いられる場合、前記遠隔端末装置は前記第一のアクセスネットワーク装置から前記中継端末装置を介して送信された前記ページングメッセージを受信する。この方式において、前記状態情報が遠隔端末装置と中継端末装置が加入関係及び／又は接続関係を有することを示すことに用いられる場合、遠隔端末装置がネットワークのカバレッジに位置するか否かに関わらず、ネットワーク装置は中継端末装置を用いてページングメッセージを受信する。
【０１１１】
第三の方式において、前記状態情報が前記遠隔端末装置と前記中継端末装置が加入関係及び／又は接続関係を有することを示すことに用いられ、そして前記遠隔端末装置がネットワークのカバレッジに位置する場合、前記遠隔端末装置は前記第一のアクセスネットワーク装置から前記中継端末装置を介して送信された前記ページングメッセージを受信する。
【０１１２】
第四の方式において、前記状態情報が前記遠隔端末装置と前記中継端末装置が加入関係及び／又は接続関係を有することを示すことに用いられ、そして前記遠隔端末装置がネットワークのカバレッジに位置する場合、前記遠隔端末装置はエアインタフェースメッセージを監視し、前記エアインタフェースメッセージを介し、前記第一のアクセスネットワーク装置から送信された前記ページングメッセージを受信する。
【０１１３】
第五の方式において、前記状態情報が前記遠隔端末装置と前記中継端末装置が加入関係及び／又は接続関係を有しないことを示すことに用いられ、そして前記遠隔端末装置がネットワークのカバレッジに位置しない場合、前記遠隔端末装置は前記第一のアクセスネットワーク装置から前記中継端末装置を介して送信された前記ページングメッセージを受信する。
【０１１４】
理解すべきものとして、遠隔端末装置は以上の５つの方式のいずれか一つを用いてページングメッセージを受信し、ネットワーク装置は対応する方式を用いてページングメッセージを送信し、具体的には、端末装置が第一の方式を用いてページングメッセージを受信する場合、ネットワーク装置は第一の方式を用いてページングメッセージを送信し、端末装置が第二の方式を用いてページングメッセージを受信する場合、ネットワーク装置は第二の方式を用いてページングメッセージを送信し、端末装置が第三の方式を用いてページングメッセージを受信する場合、ネットワーク装置は第三の方式を用いてページングメッセージを送信し、端末装置が第四の方式を用いてページングメッセージを受信する場合、ネットワーク装置は第四の方式を用いてページングメッセージを送信し、端末装置が第五の方式を用いてページングメッセージを受信する場合、ネットワーク装置は第五の方式を用いてページングメッセージを送信する。具体的にどの方式を用いるかは、プロトコルによって定められてもよく、又はネットワークによって設定されてもよく、本出願の実施例はこれに限定されない。
【０１１５】
説明すべきものとして、本出願の実施例では、遠隔端末装置がネットワークのカバレッジに位置するか否かは、遠隔端末装置がアクセスネットワーク装置のカバレッジに位置するか否か、又は遠隔端末装置がコアネットワーク装置のカバレッジに位置するか否か、又は遠隔端末装置が同一のページングエリアの複数のアクセスネットワーク装置のカバレッジに位置するか否かであってもよく、端末装置がどのネットワークのカバレッジに位置すると、状態情報はどのネットワークの識別情報、及び該ネットワークとのリンク品質情報であってもよい。
【０１１６】
図４は本出願の実施例によるページング装置４００の概略ブロック図であり、該装置は方法３００におけるネットワーク装置であってもよい。図４に示すように、該装置４００は送受信モジュール４１０と確定モジュール４２０を備える。
【０１１７】
送受信モジュール４１０が遠隔端末装置の状態情報を受信するように構成される。
【０１１８】
確定モジュール４２０は、前記状態情報に基づき、前記遠隔端末装置をページングするページング方式を確定するように構成される。
【０１１９】
前記送受信モジュール４１０はさらに前記ページング方式に応じて前記遠隔端末装置をページングするように構成される。
【０１２０】
一つの選択可能な実施例として、前記状態情報は前記遠隔端末装置と中継端末装置が加入関係及び／又は接続関係を有するか否かを示すことに用いられ、及び／又は、前記遠隔端末装置がネットワークのカバレッジに位置するか否かを示すことに用いられる。
【０１２１】
一つの選択可能な実施例として、前記ページング方式はエアインタフェースメッセージを介してページングすること又は前記遠隔端末装置と加入関係及び／又は接続関係を有する中継端末装置を介してページングすることを含む。
【０１２２】
一つの選択可能な実施例として、前記確定モジュール４２０は具体的に前記状態情報が、前記遠隔端末装置がネットワークカバレッジに位置することを示すことに用いられる場合、前記遠隔端末装置のページング方式としてエアインタフェースメッセージを介してページングすることを確定するように構成される。
【０１２３】
一つの選択可能な実施例として、前記確定モジュール４２０は具体的に、前記状態情報が前記遠隔端末装置と前記中継端末装置が加入関係及び／又は接続関係を有することを示すことに用いられる場合、前記遠隔端末装置のページング方式として前記中継端末装置を介してページングすることを確定するように構成される。
【０１２４】
一つの選択可能な実施例として、前記確定モジュール４２０は具体的に、前記状態情報が前記遠隔端末装置と前記中継端末装置が加入関係及び／又は接続関係を有することを示すことに用いられ、そして前記遠隔端末装置がネットワークのカバレッジに位置する場合、前記遠隔端末装置のページング方式として前記中継端末装置を介してページングすることを確定するように構成される。
【０１２５】
一つの選択可能な実施例として、前記確定モジュール４２０は具体的に、前記状態情報が前記遠隔端末装置と前記中継端末装置が加入関係及び／又は接続関係を有しないことを示すことに用いられ、そして前記遠隔端末装置がネットワークのカバレッジに位置しない場合、前記遠隔端末装置のページング方式として前記中継端末装置を介してページングすることを確定するように構成される。
【０１２６】
一つの選択可能な実施例として、前記状態情報は、前記遠隔端末装置の位置するネットワークの識別情報及び前記遠隔端末装置と前記ネットワークの識別情報に対応するネットワーク装置との間のリンク品質情報、及び／又は、前記遠隔端末装置と加入関係及び／又は接続関係を有する中継端末装置の識別情報及び前記遠隔端末装置と前記中継端末装置との間のリンク品質情報を含む。
【０１２７】
一つの選択可能な実施例として、前記送受信モジュール４１０は具体的にエアインタフェースメッセージを介し、前記遠隔端末装置から送信された前記状態情報を受信するように構成され、又は、前記中継端末装置を介し、前記遠隔端末装置から送信された前記状態情報を受信するように構成される。
【０１２８】
一つの選択可能な実施例として、前記装置４００は第一のアクセスネットワーク装置であり、前記送受信モジュール４１０は具体的に、第一のコアネットワーク装置から送信された前記状態情報を受信するように構成され、前記第一のコアネットワーク装置から送信された前記状態情報が前記遠隔端末装置から前記第一のコアネットワーク装置へ送信され、又は、少なくとも一つの第二のアクセスネットワーク装置から送信された前記状態情報を受信するように構成され、前記少なくとも一つの第二のアクセスネットワーク装置から送信された前記状態情報が前記遠隔端末装置から前記少なくとも一つの第二のアクセスネットワーク装置に送信される。
【０１２９】
一つの選択可能な実施例として、前記送受信モジュールは具体的に、
前記第一のコアネットワーク装置から送信された第一のページングリクエストメッセージを受信するように構成され、前記第一のページングリクエストメッセージに前記状態情報が含まれる。
【０１３０】
一つの選択可能な実施例として、前記送受信モジュールは具体的に、
前記少なくとも一つの第二のアクセスネットワーク装置から送信された第二のページングリクエストメッセージを受信するように構成され、前記第二のページングリクエストメッセージに前記状態情報が含まれる。
【０１３１】
図５は本出願の実施例によるページング装置５００の概略ブロック図であり、該装置は方法２００における端末装置であってもよい。図５に示すように、該装置５００は確定モジュール５１０と送受信モジュール５２０を備える。
【０１３２】
確定モジュール５１０が状態情報を確定するように構成される。
【０１３３】
送受信モジュール５２０はネットワーク装置へ前記状態情報を送信するように構成され、前記状態情報が前記遠隔端末装置をページングするページング方式を確定するために前記ネットワーク装置によって用いられる。
【０１３４】
一つの選択可能な実施例として、前記状態情報は前記遠隔端末装置と中継端末装置が加入関係及び／又は接続関係を有するか否かを示すことに用いられ、及び／又は、前記遠隔端末装置がネットワークのカバレッジに位置するか否かを示すことに用いられる。
【０１３５】
一つの選択可能な実施例として、前記送受信モジュール５２０は具体的にエアインタフェースメッセージを介して前記ネットワーク装置へ前記状態情報を送信するように構成され、又は、前記中継端末装置を介して前記ネットワーク装置へ前記状態情報を送信するように構成される。
【０１３６】
一つの選択可能な実施例として、前記確定モジュール５１０は具体的に前記装置５００とネットワーク装置との間のリンク品質情報、及び／又は、前記装置と、前記装置と前記装置と加入関係及び／又は接続関係を有する中継端末装置との間のリンク品質情報に基づき、前記状態情報を確定するように構成される。
【０１３７】
一つの選択可能な実施例として、前記送受信モジュール５２０は具体的に第一のアクセスネットワーク装置へ前記状態情報を送信するように構成され、又は、第一のコアネットワーク装置へ前記状態情報を送信するように構成され、又は、少なくとも一つの第二のアクセスネットワーク装置へ前記状態情報を送信するように構成され、前記第一のアクセスネットワーク装置が前記少なくとも一つの第二のアクセスネットワーク装置と異なる。
【０１３８】
一つの選択可能な実施例として、前記送受信モジュール５２０はさらに前記ネットワーク装置へ前記状態情報を送信した後、前記状態情報に基づいて前記第一のアクセスネットワーク装置から送信されたページングメッセージを受信するように構成される。
【０１３９】
一つの選択可能な実施例として、前記送受信モジュール５２０は具体的に、前記状態情報が、前記装置がネットワークのカバレッジに位置することを示すことに用いられる場合、エアインタフェースメッセージを監視し、前記エアインタフェースメッセージを介し、前記第一のアクセスネットワーク装置から送信された前記ページングメッセージを受信するように構成される。
【０１４０】
一つの選択可能な実施例として、前記送受信モジュール５２０は具体的に、前記状態情報が前記装置と前記中継端末装置が加入関係及び／又は接続関係を有することを示すことに用いられる場合、前記第一のアクセスネットワーク装置から前記中継端末装置を介して送信された前記ページングメッセージを受信するように構成される。
【０１４１】
一つの選択可能な実施例として、前記送受信モジュール５２０は具体的に、前記状態情報が前記装置５００と前記中継端末装置が加入関係及び／又は接続関係を有することを示すことに用いられ、そして前記装置がネットワークのカバレッジに位置する場合、前記第一のアクセスネットワーク装置から前記中継端末装置を介して送信された前記ページングメッセージを受信するように構成される。
【０１４２】
一つの選択可能な実施例として、前記送受信モジュール５２０は具体的に、前記状態情報が前記装置と前記中継端末装置が加入関係及び／又は接続関係を有しないことを示すことに用いられ、そして前記遠隔端末装置がネットワークのカバレッジに位置しない場合、前記第一のアクセスネットワーク装置から前記中継端末装置を介して送信された前記ページングメッセージを受信するように構成される。
【０１４３】
図６は本出願の実施例によるページングシステム６００を示す図であり、該ページングシステム６００は装置４００と装置５００を備える。
【０１４４】
図７は本出願の実施例によるページング装置７００の概略ブロック図であり、例えば該装置は方法３００におけるネットワーク装置であってもよい。図７に示すように、該装置７００は、メモリ７１０、プロセッサ７２０、入力／出力インタフェース７３０、通信インタフェース７４０を備える。ここで、メモリ７１０、プロセッサ７２０、入力／出力インタフェース７３０と通信インタフェース７４０は内部接続パスを介して接続され、該メモリ７１０が命令を記憶するように構成され、該プロセッサ７２０が該メモリ７１０に記憶された命令を実行し、入力されたデータ及び情報を受信し、操作結果などのデータを出力するように入力／出力インタフェース７３０を制御し、そして信号を送信するように通信インタフェース７４０を制御するように構成される。
【０１４５】
ここで、入力／出力インタフェース７３０は遠隔端末装置の状態情報を受信するように構成され、プロセッサ７２０は前記状態情報に基づき、前記遠隔端末装置をページングするページング方式を確定するように構成され、入力／出力インタフェース７３０はさらに前記ページング方式に応じて前記遠隔端末装置をページングするように構成される。
【０１４６】
理解すべきものとして、本出願の実施例では、該プロセッサ７２０は汎用の中央プロセッサ（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は関連プログラムを実行して本出願の実施例による技術的解決策を実現するための一つ又は複数の集積回路を用いうことができる。
【０１４７】
また、理解すべきものとして、通信インタフェース７４０は例えば送受信機のような送受信装置を用い、装置７００と他の装置又は通信ネットワークの間の通信を実現するがこれに限定されない。
【０１４８】
該メモリ７１０は読み取り専用メモリとランダムアクセスメモリを含み、そしてプロセッサ７２０へ命令とデータを提供することができる。プロセッサ７２０の一部は不揮発性ランダムアクセスメモリを含むことができる。例えば、プロセッサ７２０は装置タイプの情報を記憶することもできる。
【０１４９】
理解すべきものとして、該装置７００は方法３００におけるネットワーク装置に対応してもよく、方法３００におけるネットワーク装置の対応する機能を実現することができ、簡潔にするために、ここで説明を省略する。
【０１５０】
図８は本出願の実施例によるページング装置８００の概略ブロック図であり、該装置は方法２００における端末装置であってもよい。図８に示すように、該装置８００は、メモリ８１０、プロセッサ８２０、入力／出力インタフェース８３０、通信インタフェース８４０を備える。ここで、メモリ８１０、プロセッサ８２０、入力／出力インタフェース８３０と通信インタフェース８４０は内部接続パスを介して接続され、該メモリ８１０が命令を記憶するように構成され、該プロセッサ８２０が該メモリ８１０に記憶された命令を実行し、入力されたデータ及び情報を受信し、操作結果などのデータを出力するように入力／出力インタフェース８３０を制御し、そして信号を送信するように通信インタフェース８４０を制御するように構成される。
【０１５１】
ここで、プロセッサ８２０は状態情報を確定するように構成され、入力／出力インタフェース８３０はネットワーク装置へ前記状態情報を送信するように構成され、前記状態情報が前記遠隔端末装置をページングするページング方式を確定することに用いられる。
【０１５２】
理解すべきものとして、該装置８００は方法２００における端末装置に対応してもよく、方法２００における端末装置の対応する機能を実現することができ、簡潔にするために、ここで説明を省略する。
【０１５３】
理解すべきものとして、本出願の実施例では、該プロセッサ８２０は汎用のＣＰＵ、マイクロプロセッサ、ＡＳＩＣ、又は関連プログラムを実行し、本出願の実施例による技術的解決策を実現するための一つ又は複数の集積回路を用いることができる。
【０１５４】
また、理解すべきものとして、通信インタフェース８４０は例えば送受信機のような送受信装置を用い、装置８００と他の装置又は通信ネットワークの間の通信を実現するがこれに限定されない。
【０１５５】
該メモリ８１０は読み取り専用メモリとランダムアクセスメモリを含み、そしてプロセッサ７２０へ命令とデータを提供することができる。プロセッサ８２０の一部は不揮発性ランダムアクセスメモリを含むことができる。例えば、プロセッサ８２０は装置タイプの情報を記憶することもできる。
【０１５６】
図９が本出願の実施例による別のページング方法であり、図９に示す方法１０００で説明した中継端末装置と遠隔端末装置及びネットワーク装置とのインタラクションが方法２００及び３００における説明と同じであり、繰り返しを回避するために、関連説明を適切に省略することが理解されてもよい。
【０１５７】
図９に示すように、方法１０００は以下を含む。
【０１５８】
Ｓ１０１０において、中継端末装置は遠隔端末装置の状態情報を確定し、前記状態情報が前記遠隔端末装置をページングするページング方式を確定するためにネットワーク装置によって用いられる。
【０１５９】
Ｓ１０２０において、前記中継端末装置は前記ネットワーク装置へ前記状態情報を送信する。
【０１６０】
一つの選択可能な実施例として、Ｓ１０２０は、前記中継端末装置がエアインタフェースメッセージを介して前記ネットワーク装置へ前記状態情報を送信することを含む。
【０１６１】
一つの選択可能な実施例として、前記ネットワーク装置は第一のアクセスネットワーク装置であり、ここで、Ｓ１０１０は、
前記中継端末装置が前記第一のアクセスネットワーク装置へ前記状態情報を送信すること、又は、
前記中継端末装置が第一のコアネットワーク装置へ前記状態情報を送信し、前記第一のコアネットワーク装置が前記状態情報を前記第一のアクセスネットワーク装置に送信することに用いられること、又は、
前記中継端末装置が少なくとも一つの第二のアクセスネットワーク装置へ前記状態情報を送信し、前記少なくとも一つの第二のアクセスネットワーク装置が前記状態情報を前記第一のアクセスネットワーク装置に送信することに用いられることを含む。
【０１６２】
また、一つの選択可能な実施例として、前記方法１０００はさらに、
前記中継端末装置が前記第一のアクセスネットワーク装置から送信されたページングメッセージを受信することと、
前記中継端末装置が前記遠隔端末装置へ前記ページングメッセージを送信することとを含む。
【０１６３】
図１０は本出願の実施例によるページング装置２０００の概略ブロック図であり、該装置は方法１０００における中継端末装置であってもよい。図１０に示すように、該装置２０００は以下を備える。
【０１６４】
確定モジュール２０１０は、遠隔端末装置の状態情報を確定するように構成され、前記状態情報が前記遠隔端末装置をページングするページング方式を確定するためにネットワーク装置によって用いられる。
【０１６５】
送受信モジュール２０２０は前記ネットワーク装置へ前記状態情報を送信するように構成される。
【０１６６】
したがって、本出願の実施例によるページング装置は、遠隔端末装置の状態情報を確定し、ネットワーク装置へ該状態情報を送信し、そのためネットワーク装置は、遠隔端末装置の状態情報に基づき、遠隔端末装置をページングするページング方式を確定し、これにより、ネットワーク装置のブラインドページングによって引き起こされるページング失敗を回避し、それによってネットワーク装置が遠隔端末装置を正確にページングすることを保証することができる。
【０１６７】
一つの選択可能な実施例として、前記送受信モジュール２０２０は具体的にエアインタフェースメッセージを介して前記ネットワーク装置へ前記状態情報を送信するように構成される。
【０１６８】
一つの選択可能な実施例として、前記ネットワーク装置は第一のアクセスネットワーク装置であり、
ここで、前記送受信モジュール２０２０は具体的に、
前記第一のアクセスネットワーク装置へ前記状態情報を送信するように構成され、又は、
第一のコアネットワーク装置へ前記状態情報を送信するように構成され、前記第一のコアネットワーク装置が前記状態情報を前記第一のアクセスネットワーク装置に送信することに用いられ、又は、
少なくとも一つの第二のアクセスネットワーク装置へ前記状態情報を送信するように構成され、前記少なくとも一つの第二のアクセスネットワーク装置が前記状態情報を前記第一のアクセスネットワーク装置に送信することに用いられる。
【０１６９】
一つの選択可能な実施例として、前記送受信モジュール２０２０は具体的に、
前記第一のアクセスネットワーク装置から送信されたページングメッセージを受信し、
前記遠隔端末装置へ前記ページングメッセージを送信するように構成される。
【０１７０】
図１１は本出願の実施例によるページングシステム３０００を示す図であり、該ページングシステム３０００は装置４００、装置５００及び装置２０００を備える。
【０１７１】
図１２は本出願の実施例によるページング装置４０００の概略ブロック図であり、該装置は方法１０００における中継端末装置であってもよい。図１２に示すように、該装置４０００は、メモリ４０１０、プロセッサ４０２０、入力／出力インタフェース４０３０、及び通信インタフェース４０４０を備える。ここで、メモリ４０１０、プロセッサ４０２０、入力／出力インタフェース４０３０及び通信インタフェース４０４０は内部接続パスを介して接続され、該メモリ４０１０が命令を記憶するように構成され、該プロセッサ４０２０が該メモリ４０１０に記憶された命令を実行し、入力されたデータ及び情報を受信し、操作結果などのデータを出力するように入力／出力インタフェース４０３０を制御し、そして信号を送信するように通信インタフェース４０４０を制御するように構成される。
【０１７２】
ここで、プロセッサ４０２０は遠隔端末装置の状態情報を確定するように構成され、前記状態情報が前記遠隔端末装置をページングするページング方式を確定するためにネットワーク装置によって用いられ、入力／出力インタフェース４０３０はネットワーク装置へ前記状態情報を送信するように構成される。
【０１７３】
理解すべきものとして、該装置４０００は方法１０００における中継端末装置に対応してもよく、方法１０００における中継端末装置の対応する機能を実現することができ、簡潔にするために、ここで説明を省略する。
【０１７４】
理解すべきものとして、本出願の実施例では、該プロセッサ４０２０は汎用のＣＰＵ、マイクロプロセッサ、ＡＳＩＣ、又は関連プログラムを実行し、本出願の実施例による技術的解決策を実現するための一つ又は複数の集積回路を用いることができる。
【０１７５】
また、理解すべきものとして、通信インタフェース４０４０は例えば送受信機のような送受信装置を用い、装置４０００と他の装置又は通信ネットワークの間の通信を実現するがこれに限定されない。
【０１７６】
該メモリ４０１０は読み取り専用メモリとランダムアクセスメモリを含み、そしてプロセッサ４０２０へ命令とデータを提供することができる。プロセッサ４０２０の一部は不揮発性ランダムアクセスメモリを含むことができる。例えば、プロセッサ４０２０は装置タイプの情報を記憶することもできる。
【０１７７】
理解すべきものとして、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１７８】
本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０１７９】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウェア又はソフトウェアで実行されるかは、技術的解決策の特定応用と設計制約条件に依存する。当業者は各特定の応用に対して異なる方法を用いて記述される機能を実現することが可能であるが、このような実現は本出願の範囲を超えると見なしてはならない。
【０１８０】
当業者は、便利及び簡潔に説明するために、上記のシステム、装置及びユニットの具体的な動作プロセスについて、前記方法の実施例における対応するプロセスを参照できるため、ここでは説明を省略することを明確に理解することができる。
【０１８１】
本出願が提供する、いくつかの実施例では、開示されたシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分方式もあり得て、例えば複数のユニット又は構成要素は組み合わせられてもよく、又は別のシステムに統合されてもよく、又はいくつかの特徴が無視されてもよく、又は実行されなくてもよい。また、示される又は議論される相互結合又は直接結合又は通信接続はいくつかのインタフェース、装置又はユニットを介する間接的結合又は通信接続であってもよく、電気的、機械的又は他の形態であってもよい。
【０１８２】
分離部材として説明された前記ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワーク要素に分布してもよい。実際のニーズに応じてそのうちの一部又は全てのユニットを選択して本実施例の技術的解決策の目的を達成することができる。
【０１８３】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０１８４】
前記機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例に記載された方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１８５】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は前記請求項の保護範囲に準拠するべきである。
【図１】
0006961711.tif 000002
【図２】
0006961711.tif 000003
【図３】
0006961711.tif 000004
【図４】
0006961711.tif 000005
【図５】
0006961711.tif 000006
【図６】
0006961711.tif 000007
【図７】
0006961711.tif 000008
【図８】
0006961711.tif 000009
【図９】
0006961711.tif 000010
【図１０】
0006961711.tif 000011
【図１１】
0006961711.tif 000012
【図１２】
0006961711.tif 000013